(57)【要約】【課題】コルゲートチューブの保持性が高いコルゲートチューブ保持構造を提供する。【解決手段】軸方向に間隔を置いて外周面に係止溝３１ａが設けられ、且つ、軸方向に沿って内部の電線収容室３２に開口するスリット３０ａが設けられたコルゲートチューブ３０を保持するコルゲートチューブ保持構造であって、コルゲートチューブ３０を収容するコルゲートチューブ保持室２４が設けられ、コルゲートチューブ保持室２４の内面には係止溝３１ａに入り込む係止突起２５が設けられ、コルゲートチューブ３０の電線収容室３２に配置される内側突起２６が設けられ、係止突起２５と内側突起２６によってコルゲートチューブ３０のスリット３０ａの両側の周辺箇所を挟み込む。【選択図】図５
2013009518.tif 000002
【特許請求の範囲】
【請求項１】
軸方向に間隔を置いて外周面に係止溝が設けられ、且つ、軸方向に沿って内部の電線収容室に開口するスリットが設けられたコルゲートチューブを保持するコルゲートチューブ保持構造であって、
前記コルゲートチューブを収容するコルゲートチューブ保持室が設けられ、前記コルゲートチューブ保持室の内面には前記係止溝に入り込む係止突起が設けられ、前記コルゲートチューブの前記電線収容室に配置される内側突起が設けられ、前記係止突起と前記内側突起によって前記コルゲートチューブの前記スリットの両側の周辺箇所を挟み込むことを特徴とするコルゲートチューブ保持構造。
【請求項２】
請求項１記載のコルゲートチューブ保持構造であって、
前記内側突起は、前記コルゲートチューブの前記スリットが進入される側がテーパ面に形成されていることを特徴とするコルゲートチューブ保持構造。
【請求項３】
請求項１又は請求項２に記載のコルゲートチューブ保持構造は、コネクタハウジングの電線引出側に装着され、前記コネクタハウジングより引き出された電線を内部の電線収容室を通して外部に導き出すコネクタカバーに設けられたことを特徴とするコルゲートチューブ保持構造。
【発明の詳細な説明】
【技術分野】
【０００１】
本発明は、コルゲートチューブを保持するコルゲートチューブ保持構造に関する。
【背景技術】
【０００２】
例えば、コネクタ、電気接続箱、プロテクタ等から引き出される電線を、その配策自由性を確保しつつ結束・保護等するのにコルゲートチューブが使用される。このような場所に使用されるコルゲートチューブは、コネクタ、電線接続箱等に設けられたコルゲートチューブ保持構造によって一端側が保持される。かかるコルゲートチューブ保持構造として、特許文献１や特許文献２に開示されたものが従来より提案されている。
【０００３】
特許文献１に記載されたコルゲートチューブ保持構造は、コルゲートチューブのスリットを電線カバーの突起部に挿入してコルゲートチューブを拡径させ、これによりコルゲートチューブの外周面を電線カバーの内周面に当接されたものである。
【０００４】
特許文献２に記載されたコルゲートチューブ保持構造は、コルゲートチューブのスリットをコルゲートチューブ用カバーの突起部に挿入してコルゲートチューブを拡径させたものである。
【先行技術文献】
【特許文献】
【０００５】
【特許文献１】特開２００４−３５７３８６号公報
【特許文献２】実開平６−８４７２６号公報
【発明の概要】
【発明が解決しようとする課題】
【０００６】
しかしながら、前記各従来例のコルゲートチューブ保持構造では、コルゲートチューブを強制的に拡径した状態でコルゲートチューブを保持するため、コルゲートチューブの変形を招くおそれがある。コルゲートチューブが変形すると、安定した保持力を維持することができず、保持力の低下を招来する。
【０００７】
そこで、本発明は、前記した課題を解決すべくなされたものであり、コルゲートチューブの保持性が高いコルゲートチューブ保持構造を提供することを目的とする。
【課題を解決するための手段】
【０００８】
本発明は、軸方向に間隔を置いて外周面に係止溝が設けられ、且つ、軸方向に沿って内部の電線収容室に開口するスリットが設けられたコルゲートチューブを包み込んで保持するコルゲートチューブ保持構造であって、前記コルゲートチューブを収容するコルゲートチューブ保持室が設けられ、前記コルゲートチューブ保持室の内面には前記係止溝に入り込む係止突起が設けられ、前記コルゲートチューブの前記電線収容室に配置される内側突起が設けられ、前記係止突起と前記内側突起によって前記コルゲートチューブの前記スリットの両側の周辺箇所を挟み込むことを特徴とするコルゲートチューブ保持構造である。
【０００９】
前記内側突起は、前記コルゲートチューブの前記スリットが進入される側がテーパ面に形成されていることが好ましい。
【００１０】
コルゲートチューブ保持構造は、コネクタハウジングの電線引出側に装着され、前記コネクタハウジングより引き出された電線を内部の電線収容室を通して外部に導き出すコネクタカバーに設けるものを含む。
【発明の効果】
【００１１】
本発明によれば、コルゲートチューブは、装着過程では内側突起によって強制的に拡径されるが、装着状態では元の径寸法に戻るため、コルゲートチューブの変形を招かない。そして、コルゲートチューブに何らかの理由によって荷重が作用しても、コルゲートチューブの変形が係止突起と内側突起によって規制されるため、縮径方向に容易に変形しない。従って、コルゲートチューブの保持性が高い。
【図面の簡単な説明】
【００１２】
【図１】本発明の一実施形態を示し、コネクタの分解斜視図である。
【図２】本発明の一実施形態を示し、コネクタの側面図である。
【図３】本発明の一実施形態を示し、コネクタカバーの内面図である。
【図４】本発明の一実施形態を示し、コネクタカバーの一部斜視図である。
【図５】本発明の一実施形態を示し、（ａ）は図２のＡ−Ａ線断面図、（ｂ）は（ａ）のＢ−Ｂ線拡大断面図である。
【図６】本発明の一実施形態を示し、コルゲートチューブをコルゲートチューブ保持室への装着直前を示す断面図である。
【図７】比較例を示し、コネクタの分解斜視図である。
【図８】比較例を示し、コネクタの側面図である。
【図９】比較例を示し、コネクタカバーの内面図である。
【図１０】比較例を示し、コネクタカバーの一部斜視図である。
【図１１】比較例を示し、（ａ）は図８のＣ−Ｃ線断面図、（ｂ）は（ａ）のＤ−Ｄ線拡大断面図である。
【発明を実施するための形態】
【００１３】
以下、本発明の実施形態を図面に基づいて説明する。
【００１４】
（実施形態）
図１〜図５は、本発明のコルゲートチューブ保持構造を適用したコネクタ１の一実施形態を示す。図１及び図２において、コネクタ１は、コネクタハウジング２と、このコネクタハウジング２に装着され、本発明のコルゲートチューブ保持構造を適用されたコネクタカバー１０と、コネクタカバー１０に一端側が固定されたコルゲートチューブ３０とを備えている。
【００１５】
コネクタハウジング２は、前面に開口されたコネクタ嵌合室（図示せず）と後面に開口する一対の電線出口３を有する。コネクタ嵌合室には、相手コネクタ（図示せず）が嵌合される。コネクタ嵌合室の奥位置には、相手コネクタの端子（図示せず）が接続される一対の端子（図示せず）が配置されている。各端子には、電線Ｗの端末がそれぞれ接続されている。一対の電線Ｗは、一対の電線出口３より外部に引き出されている。各電線出口３には、電線Ｗの外周に取り付けられた防水栓４が圧入されている。各防水栓４によって、水等が電線出口３からコネクタハウジング２内に侵入するのを防止している。コネクタハウジング２の後側には、カバー取付壁５が一体に設けられている。カバー取付壁５は、一対の電線出口３の全周囲を囲んでいる。カバー取付壁５の両側部には、ロック溝６がそれぞれ設けられている。
【００１６】
コネクタカバー１０は、図３及び図４に詳しく示すように、カバー本体１１と、このカバー本体１１の側部にヒンジ部２０を介して連結されたコルゲート蓋部２１とを備えている。
【００１７】
カバー本体１１は、電線カバー本体部１２とこの電線カバー本体部１２の下方に一体に設けられたコルゲート保持部１３とを有する。電線カバー本体部１２の内部には、電線収容室１４が設けられている。電線カバー本体部１２の両側部には、ロック爪１５がそれぞれ設けられている。一対のロック爪１５がカバー取付壁５の一対のロック溝６に係止することによってコネクタカバー１０がコネクタハウジング２に装着されている。コネクタカバー１０の装着状態では、電線カバー本体部１２の前端側がカバー取付壁５の後端側に一部重なり合った状態で嵌合される。これにより、電線収容室１４がほぼ閉塞状態とされる。
【００１８】
電線収容室１４には、左右２箇所に電線保持部（図示せず）が突設されている。各電線保持部は、各電線Ｗを挟持する一対の電線挟持アーム（図示せず）より形成されている。コネクタハウジング２の電線出口３より引き出された各電線Ｗは、一対の電線挟持アームで保持された状態で電線収容室１４に配策される。これにより、電線保持室１４内では電線Ｗの自由な振動が抑えられている。
【００１９】
電線収容室１４には、左右２箇所に防水栓押さえ部１７が突設されている。各防水栓押さえ部１７は、断面が半円弧状のロッドである。各防水栓押さえ部１７の先端は、防水栓４に当接している。防水栓押さえ部１７によって、各防水栓４の電線引出方向への移動が阻止されている。
【００２０】
図１〜図５に示すように、コルゲート蓋部２１は、コルゲート保持部１３の端部にヒンジ部２０を介して連結されている。コルゲート保持部１３の両側部にはロック爪２２が、コルゲート蓋部２１の両端部には、枠状のロックアーム２３がそれぞれ設けられている。コルゲート保持部１３のロック爪２２がコルゲート蓋部２１のロックアーム２３に係止されることによってコルゲート蓋部２１がコルゲート保持部１３に合体される。コルゲート保持部１３とコルゲート蓋部２１の内部には、コルゲートチューブ保持室２４が構成されている。コルゲートチューブ保持室２４は、一端側が電線収容室１４に連通し、他端側が外部に開口している。
【００２１】
コルゲートチューブ保持室２４の内面には、軸方向に間隔をおいて複数の係止突起２５が突設されている。コルゲートチューブ保持室２４には、コルゲートチューブ３０の一端側が保持されている。
【００２２】
コルゲートチューブ３０は、軸方向に凹部３１Ａと凸部３１Ｂを繰り返す蛇腹状で、且つ、軸方向に沿ってスリット３０ａが形成されたチューブである。コルゲートチューブ３０は、スリット３０ａを利用することによって電線Ｗを内部の電線収容室３２に容易に収容することができる。コルゲートチューブ３０は、その蛇腹状によって外周面には等間隔に係止溝３１ａが設けられている。コルゲートチューブ３０の一端側は、その各係止溝３１ａにコルゲートチューブ保持室２４の各係止突起２５が入り込んでいる。
【００２３】
コルゲートチューブ保持室２４には、電線カバー本体部１２より延設された内側突起２６が配置されている。内側突起２６は、コルゲートチューブ保持室２４の軸方向に沿って、且つ、各係止突起２５の先端よりコルゲートチューブ３０のほぼ肉厚寸法だけ離間した位置に配置されている。内側突起２６は、その外周面がフラット面であるが、内周面が左右一対のテーパ面２６ａに形成されている。一対のテーパ面２６ａは、コルゲートチューブ保持室２４の円周方向の中央が頂点とされたテーパ状である。つまり、コルゲートチューブ３０のスリット３０ａが進入される側がテーパ面２６ａに形成されている。内側突起２６は、コルゲートチューブ３０の電線収容室３２に配置されている。コルゲートチューブ３０のスリット３０ａの左右両側の周辺箇所は、係止突起２５と内側突起２６によって内外周側から挟み込まれている。このようにして、コルゲートチューブ３０は、その一端側がコネクタカバー１０に固定されている。電線収容室１４に配策された一対の電線Ｗは、コルゲートチューブ３０内を通ってコネクタカバー１０より引き出されている。
【００２４】
コルゲートチューブ３０は、コルゲートチューブ保持室２４に次の手順で装着される。図６に示すように、電線Ｗが電線収容室３２に収容されたコルゲートチューブ３０を、そのスリット３０ａを内側突起２６の頂点に一致させる位置にセットし、コルゲートチューブ３０を図６の矢印方向に押圧する。すると、コルゲートチューブ３０のスリット３０ａが内側突起２６のテーパ面２６ａによって徐々に開口し、スリット３０ａ内に内側突起２６が徐々に入り込む。そして、内側突起２６がコルゲートチューブ３０の電線収容室３２に完全に入り込むと、スリット３０ａが弾性復帰変形して閉口し、内側突起２６がコルゲートチューブ３０の電線収容室３２に配置される。
【００２５】
ここで、コルゲートチューブ３０の図６の矢印方向への押圧は、コルゲート蓋部２１をコルゲート保持部１３に合体させることによって行っても、又、コルゲート蓋部２１の合体動作とは別に行っても良い。
【００２６】
以上説明したように、コルゲートチューブ３０を収容するコルゲートチューブ保持室２４が設けられ、コルゲートチューブ保持室２４の内面には係止溝３１ａに入り込む係止突起２５が設けられ、コルゲートチューブ３０の電線収容室３２に配置される内側突起２６が設けられ、係止突起２５と内側突起２６によってコルゲートチューブ３０を挟み込むよう構成されている。従って、コルゲートチューブ３０は、装着過程では内側突起２６によって強制的に拡径されるが、装着状態では元の径寸法に戻るため、コルゲートチューブ３０の変形を招かない。そして、コルゲートチューブ３０に何らかの理由によって荷重が作用しても、コルゲートチューブ３０の変形が係止突起２５と内側突起２６によって規制されるため、コルゲートチューブ３０が縮径方向に容易に変形しない。従って、コルゲートチューブ３０の保持性が高く、コルゲートチューブ１３０がコネクタカバー１１０より容易に脱落することがない。
【００２７】
内側突起２６は、コルゲートチューブ３０のスリット３０ａの左右両側の周辺箇所を係止突起２５と共に挟む。コルゲートチューブ３０はスリット３０ａの位置が最も構造的に弱く変形し易いが、そのスリット３０ａの周辺の変形を規制するため、コルゲートチューブ３０の縮径方向の変形を有効に防止できる。
【００２８】
コルゲートチューブ３０は、そのスリット３０ａがコルゲートチューブ保持室２４に装着過程では開口されるが、コルゲートチューブ保持室２４に装着された状態では、スリット３０ａが閉口位置に戻されるため、スリット３０ａが開口状態である場合に較べて安定した保持力が得られる。
【００２９】
内側突起２６は、コルゲートチューブ３０のスリット３０ａが進入される側がテーパ面２６ａに形成されている。従って、コルゲートチューブ３０の内部の電線収容室３２に、内側突起２６をスリット３０ａよりスムーズに挿入でき、コルゲートチューブ３０の装着作業性が容易である。
【００３０】
コルゲートチューブ保持構造は、コネクタハウジング２の電線引出側に装着され、コネクタハウジング２より引き出された電線Ｗを内部の電線収容室１４を通して外部に導き出すコネクタカバー１０に適用されているが、本発明は、コルゲートチューブ３０を保持する部品（電気接続箱、プロテクタ等）であれば適用可能であることはもちろんである。
【００３１】
（比較例）
図７〜図１１は、本発明の比較例を示す。図７〜図１１において、比較例に係るコルゲートチューブ保持構造を適用したコネクタ１００は、コネクタハウジング１０２と、このコネクタハウジング１０２に装着されたコネクタカバー１１０と、コネクタカバー１１０に一端側が固定されたコルゲートチューブ１３０とを備えている。
【００３２】
コネクタハウジング１０２の後面には、一対の電線出口１０３が設けられている。一対の電線出口１０３より一対の電線Ｗが外部に引き出されている。
【００３３】
コネクタカバー１１０は、カバー本体１１１と、このカバー本体１１１の側部にヒンジ部１２０を介して連結されたコルゲート蓋部１２１とを備えている。カバー本体１１１は、電線カバー本体部１１２とこの電線カバー本体部１１２の下方に一体に設けられたコルゲート保持部１１３とを有する。
【００３４】
電線カバー本体部１１２の両側部には、ロック爪１１５がそれぞれ設けられている。一対のロック爪１１５がコネクタハウジング１０２の一対のロック溝１０６に係止することによってコネクタカバー１１０がコネクタハウジング１０２に装着されている。
【００３５】
電線カバー本体部１１２の内部には、電線収容室１１４が設けられている。
【００３６】
コルゲート保持部１１３の両側部にはロック爪１２２が、コルゲート蓋部１２１の両端部には、枠状のロックアーム１２３がそれぞれ設けられている。コルゲート保持部１１３のロック爪１２２がコルゲート蓋部１２１のロックアーム１２３に係止されることによってコルゲート蓋部１２１がコルゲート保持部１１３に合体される。コルゲート保持部１１３とコルゲート蓋部１２１の内部には、コルゲートチューブ保持室１２４が構成される。コルゲートチューブ保持室１２４の内面には、軸方向に間隔をおいて複数の係止突起１２５が突設されている。
【００３７】
コルゲートチューブ１３０は、軸方向に凹部と凸部を繰り返す蛇腹状で、且つ、軸方向に沿ってスリット１３０ａが形成されたチューブである。コルゲートチューブ１３０は、スリット１３０ａを利用することによって電線Ｗを内部の電線収容室１３２に容易に収容することができる。コルゲートチューブ１３０は、その蛇腹状によって外周面には等間隔に係止溝１３１ａが設けられている。コルゲートチューブ１３０の一端側は、各係止溝１３１ａにコルゲートチューブ保持室１２４の各係止突起１２５が入り込むことによってコネクタカバー１１０に保持されている。
【００３８】
コネクタハウジング１０２の電線出口１０３より引き出された各電線Ｗは、電線収容室１１４を介してコルゲートチューブ１３０内を通って外部に引き出されている。
【００３９】
しかしながら、前記比較例のコルゲートチューブ保持構造では、コルゲートチューブ保持室１２４の各係止突起１２５がコルゲートチューブ１３０の各係止溝１３１ａに入り込むことによってコルゲートチューブ１３０を保持しているに過ぎない。コルゲートチューブ１３０には軸方向に沿ってスリット１３０ａが形成されているため、コルゲートチューブ１３０に何らかの理由によって荷重が作用すると、図１１（ｂ）の矢印方向（縮径方向）に容易に変形し易し、コルゲートチューブ１３０の保持性が低い。保持性が低いと、コルゲートチューブ１３０がコネクタカバー１１０より容易に脱落することになる。
【００４０】
これに対し、本発明では、上記実施形態で説明したように、コルゲートチューブ３０の保持性が高く、コルゲートチューブ１３０がコネクタカバー１１０より容易に脱落することがない。
【符号の説明】
【００４１】
２  コネクタハウジング
１０  コネクタカバー
１４  電線収容室
２４  コルゲートチューブ保持室
２５  係止突起
２６  内側突起
２６ａ  テーパ面
３０  コルゲートチューブ
３０ａ  スリット
３１ａ  係止溝
３２  電線収容室
Ｗ  電線
【図１】
2013009518.tif 000003
【図２】
2013009518.tif 000004
【図３】
2013009518.tif 000005
【図４】
2013009518.tif 000006
【図５】
2013009518.tif 000007
【図６】
2013009518.tif 000008
【図７】
2013009518.tif 000009
【図８】
2013009518.tif 000010
【図９】
2013009518.tif 000011
【図１０】
2013009518.tif 000012
【図１１】
2013009518.tif 000013